(57)【要約】      （修正有）【課題】一の楽曲に対して複数の歌唱者でカラオケ歌唱を行う場合に、歌唱者それぞれがカラオケ歌唱を楽しむことを可能とするカラオケ装置を提供する。【解決手段】カラオケ装置のカラオケ本体１０は、複数の歌唱者の音高における最高音及び最低音で規定される第１の音域を特定する音域特定部と、第１の音域と、選曲された楽曲について予め設定されているキーに基づく歌唱旋律における第２の音域との比較結果に基づいて、選曲された楽曲のキーを決定するキー決定部と、選曲された楽曲の歌唱旋律における一音毎の音高と、複数の歌唱者それぞれの音域とを比較することにより、一音毎にカラオケ歌唱に適した歌唱者を特定する歌唱者特定部と、を有する。【選択図】図３
2018128492.tif 000002
【特許請求の範囲】
【請求項１】
複数の歌唱者の音高における最高音及び最低音で規定される第１の音域を特定する音域特定部と、
前記第１の音域と、選曲された楽曲について予め設定されているキーに基づく歌唱旋律における第２の音域との比較結果に基づいて、前記選曲された楽曲のキーを決定するキー決定部と、
前記選曲された楽曲の歌唱旋律における一音毎の音高と、複数の歌唱者それぞれの音域とを比較することにより、前記一音毎にカラオケ歌唱に適した歌唱者を特定する歌唱者特定部と、
を有するカラオケ装置。
【請求項２】
前記キー決定部は、前記第１の音域のうち前記複数の歌唱者に共通する音域と、前記第２の音域との重複範囲が最大となるようにキーを変更することにより、前記楽曲のキーを決定することを特徴とする請求項１記載のカラオケ装置。
【請求項３】
前記キー決定部は、前記第１の音域のうち前記複数の歌唱者に共通する音域に、前記選曲された楽曲の歌唱旋律において頻度の高い音高が含まれるようにキーを変更することにより、前記楽曲のキーを決定することを特徴とする請求項１記載のカラオケ装置。
【請求項４】
特定された前記カラオケ歌唱に適した歌唱者を示す情報を提示する提示部を有することを特徴とする請求項１〜３のいずれか一つに記載のカラオケ装置。
【発明の詳細な説明】
【技術分野】
【０００１】
本発明はカラオケ装置に関する。
【背景技術】
【０００２】
カラオケ装置を用いたカラオケ歌唱の楽しみ方として、一の楽曲に対して複数の歌唱者で代わる代わる歌唱することがある。このような場合、それぞれの歌唱者に歌唱を行う区間を割り当て、順番に歌唱を行う。
【０００３】
この際、カラオケ演奏中に歌唱者が交代することになるため、そのタイミングを見極めることが難しい。
【０００４】
そこで、特許文献１には、歌唱者の人数に応じてカラオケ楽曲の歌唱時間を分配し、分配された各歌唱者の歌唱範囲に対応させて、歌詞テロップの表示色を設定する技術が開示されている。
【０００５】
或いは、特許文献２には、複数のブロックに分割された歌詞、及び各ブロックを曲の進行にしたがって順次切りかえながら画面に表示するためのタイミング情報が含まれた歌詞情報を用い、当該タイミング情報から隣接したブロックの間隔をそれぞれ導出し、隣接したブロックの間隔をもとに、再生すべき歌詞の部分を特定する技術が開示されている。
【先行技術文献】
【特許文献】
【０００６】
【特許文献１】特開２０１０−１２８１３８号公報
【特許文献２】特開２００７−２５００２号公報
【発明の概要】
【発明が解決しようとする課題】
【０００７】
ところで、一の楽曲に対して複数の歌唱者でカラオケ歌唱を行う際、歌唱が割り当てられた区間内に自己の発声可能な音域外の音が含まれている場合がある。このような場合、当該歌唱者は当該区間の一部の歌唱が困難となり、カラオケ歌唱を楽しむことができない。
【０００８】
本発明の目的は、一の楽曲に対して複数の歌唱者でカラオケ歌唱を行う場合に、歌唱者それぞれがカラオケ歌唱を楽しむことを可能とするカラオケ装置を提供することにある。
【課題を解決するための手段】
【０００９】
上記目的を達成するための主たる発明は、複数の歌唱者の音高における最高音及び最低音で規定される第１の音域を特定する音域特定部と、前記第１の音域と、選曲された楽曲について予め設定されているキーに基づく歌唱旋律における第２の音域との比較結果に基づいて、前記選曲された楽曲のキーを決定するキー決定部と、前記選曲された楽曲の歌唱旋律における一音毎の音高と、複数の歌唱者それぞれの音域とを比較することにより、前記一音毎にカラオケ歌唱に適した歌唱者を特定する歌唱者特定部と、を有するカラオケ装置である。
本発明の他の特徴については、後述する明細書及び図面の記載により明らかにする。
【発明の効果】
【００１０】
本発明によれば、一の楽曲に対して複数の歌唱者でカラオケ歌唱を行う場合に、歌唱者それぞれがカラオケ歌唱を楽しむことができる。
【図面の簡単な説明】
【００１１】
【図１】実施形態に係るカラオケ装置のハードウェア構成例を示す図である。
【図２】実施形態に係る記憶部に記憶されているデータの例を示す図である。
【図３】実施形態に係るカラオケ本体のソフトウェア構成例を示す図である。
【図４】歌唱者の音域と楽曲の音域を模式的に示した図である。
【図５Ａ】歌唱者の音域と楽曲の音域を模式的に示した図である。
【図５Ｂ】歌唱者の音域と楽曲の音域を模式的に示した図である。
【図６Ａ】歌唱者の音域と楽曲の音域を模式的に示した図である。
【図６Ｂ】歌唱者の音域と楽曲の音域を模式的に示した図である。
【図７】歌唱者の音域と楽曲の音域を模式的に示した図である。
【図８】ある楽曲の音高分布を示した図である。
【図９】実施形態に係るカラオケ装置の処理を示すフローチャートである。
【発明を実施するための形態】
【００１２】
後述する明細書及び図面の記載から、上記の主たる発明の他、少なくとも以下の事項が明らかとなる。
【００１３】
すなわち、前記キー決定部が、前記第１の音域のうち前記複数の歌唱者に共通する音域と、前記第２の音域との重複範囲が最大となるようにキーを変更することにより、前記楽曲のキーを決定するカラオケ装置が明らかとなる。このようなカラオケ装置によれば、各歌唱者が歌唱できる音を増やすことができる。
【００１４】
或いは、前記キー決定部が、前記第１の音域のうち前記複数の歌唱者に共通する音域に、前記選曲された楽曲の歌唱旋律において頻度の高い音高が含まれるようにキーを変更することにより、前記楽曲のキーを決定するカラオケ装置が明らかとなる。このようなカラオケ装置によれば、楽曲において出現頻度が高い音について各歌唱者が歌唱できる機会を増やすことができる。
【００１５】
また、特定された前記カラオケ歌唱に適した歌唱者を示す情報を提示する提示部を有するカラオケ装置が明らかとなる。このようなカラオケ装置によれば、歌唱者は自己が歌唱する音を把握し易くなる。
【００１６】
＜実施形態＞
図１〜図９を参照して、実施形態に係るカラオケ装置１について説明する。
【００１７】
＝＝カラオケ装置＝＝
カラオケ装置１は、カラオケ演奏及び歌唱者がカラオケ歌唱を行うための装置である。カラオケ装置１は、カラオケ店舗の各部屋に設置される。カラオケ装置１では、様々なカラオケ歌唱を楽しむことが可能である。たとえば、カラオケ装置１では、一の楽曲を複数の歌唱者で代わる代わるカラオケ歌唱を行うことができる。
【００１８】
図１に示すように、カラオケ装置１は、カラオケ本体１０、スピーカ２０、表示装置３０、マイク４０、及びリモコン装置５０を備える。
【００１９】
スピーカ２０はカラオケ本体１０からの放音信号に基づいて放音するための構成である。表示装置３０はカラオケ本体１０からの信号に基づいて映像や画像を画面に表示するための構成である。マイク４０は歌唱者の歌唱音声をアナログの音声信号に変換してカラオケ本体１０に入力するための構成である。図１では一のマイク４０のみを示しているが、一台のカラオケ装置に対して複数のマイクが設けられていてもよい。リモコン装置５０は、カラオケ本体１０に対する各種操作をおこなうための装置である。歌唱者はリモコン装置５０を用いてカラオケ歌唱を希望する楽曲の選曲（予約）等を行うことができる。リモコン装置５０の表示画面には各種操作の指示入力を行うためのアイコン等が表示される。
【００２０】
カラオケ本体１０は、選択されたカラオケ楽曲の演奏制御、歌詞や背景映像等の表示制御、マイク４０を通じて入力された音声信号の処理といった、カラオケ歌唱に関する各種の制御を行う。図１に示すように、カラオケ本体１０は、制御部１１、通信部１２、記憶部１３、音響処理部１４、表示処理部１５及び操作部１６を備える。各構成はインターフェース（図示なし）を介してバスＢに接続されている。
【００２１】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００２２】
通信部１２は、ルーター（図示なし）を介してカラオケ本体１０を通信回線に接続するためのインターフェースを提供する。
【００２３】
記憶部１３は、各種のデータを記憶する大容量の記憶装置であり、たとえばハードディスクドライブなどである。記憶部１３は、カラオケ装置１によりカラオケ演奏を行うための複数の楽曲データを記憶する。
【００２４】
楽曲データは、個々の楽曲を特定するための楽曲ＩＤが付与されている。楽曲データは、伴奏データ、リファレンスデータ等を含む。伴奏データは、カラオケ演奏音の元となるデータである。リファレンスデータは、楽曲の主旋律等を示す音高データである。リファレンスデータは、たとえば、歌唱者によるカラオケ歌唱を採点する際の基準として用いられる。伴奏データ及びリファレンスデータは、たとえばＭＩＤＩ形式で構成される。また、記憶部１３は、カラオケ楽曲に対応する歌詞テロップを表示装置３０等に表示させるための歌詞テロップデータ、カラオケ演奏時に表示装置３０等に表示される背景画像等の背景画像データ、及び楽曲の属性情報（歌手名、作詞・作曲者名、ジャンル等の当該楽曲に関する情報）を記憶する。
【００２５】
各楽曲には、予め所定のキーが設定されている。所定のキーは、たとえば、その楽曲を歌唱する歌手のキー（原曲キー）や、原曲キーを元にカラオケ歌唱用にアレンジしたキー（デフォルトキー）である。所定のキーに応じて、各楽曲の音域（デフォルトの音域）が決定される。楽曲の音域は、楽曲に含まれる一番低い音高（最低音）から一番高い音高（最高音）までの範囲である。このように各楽曲に決定された音域は「第２の音域」に相当する。
【００２６】
また、本実施形態における記憶部１３は、歌唱者毎の音域を記憶している。歌唱者の音域は、公知の手法を用いて取得することができる。歌唱者の音域は、歌唱者が発声できる一番低い音高（最低音）から一番高い音高（最高音）までの範囲（声域）である。記憶部１３は、たとえば、歌唱者を特定するための情報（歌唱者ＩＤ）に対し、当該歌唱者の音域（最高音及び最低音）を関連付けたテーブル形式で記憶する（図２参照）。図２の例において、歌唱者Ｓ１は「最高音Ｄ４、最低音Ｃ＃３」の音域を有し、歌唱者Ｓ２は「最高音Ａ４、最低音Ａ３」の音域を有し、歌唱者Ｓ３は「最高音Ｆ４、最低音Ｆ３」の音域を有し、歌唱者Ｓ４は「最高音Ｆ＃４、最低音Ｄ＃３」の音域を有する。なお、歌唱者毎の音域は、サーバ（図示なし）に記憶されていてもよい。この場合、歌唱者がカラオケ装置１に自己の歌唱者ＩＤでログインすると、カラオケ装置１は、サーバに当該歌唱者の音域のデータを要求する。カラオケ装置１は、サーバから受信した音域のデータを記憶部１３に記憶させる。また、記憶部１３は、歌唱者毎の歌唱履歴（楽曲名、楽曲ＩＤ、当該楽曲の音域等）を記憶していてもよい。
【００２７】
音響処理部１４は、制御部１１の制御に基づき、カラオケ楽曲に対する演奏の制御およびマイク４０を通じて入力された歌唱音声信号の処理を行う。音響処理部１４は、たとえばＭＩＤＩ音源、ミキサ、アンプ（いずれも図示なし）を含む。ＭＩＤＩ音源は、楽曲データに基づいて楽音信号を生成する。ミキサは、当該音楽信号およびマイク４０から出力される歌唱音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００２８】
表示処理部１５は、制御部１１の制御に基づき、表示装置３０やリモコン装置５０における各種表示に関する処理を行う。たとえば、表示処理部１５は、カラオケ演奏時における背景映像に歌詞テロップや各種アイコンが重ねられた映像を表示装置３０に表示させる制御を行う。
【００２９】
操作部１６は、パネルスイッチおよびリモコン受信回路などからなり、歌唱者によるカラオケ装置１のパネルスイッチあるいはリモコン装置５０の操作に応じて選曲信号、演奏中止信号などの操作信号を制御部１１に対して出力する。制御部１１は、操作部１６からの操作信号を検出し、対応する処理を実行する。
【００３０】
（ソフトウェア構成）
図３はカラオケ本体１０のソフトウェア構成例を示す図である。カラオケ本体１０は、音域特定部１００、キー決定部２００、歌唱者特定部３００、及び提示部４００を備える。音域特定部１００、キー決定部２００、歌唱者特定部３００、提示部４００は、ＣＰＵ１１ａがメモリ１１ｂに記憶されるプログラムを実行することにより実現される。
【００３１】
［音域特定部］
音域特定部１００は、複数の歌唱者の音高における最高音及び最低音で規定される第１の音域を特定する。
【００３２】
具体的には、音域特定部１００は、カラオケ装置１に自己のＩＤでログインした複数の歌唱者の音域を記憶部１３から読み出す。音域特定部１００は、それぞれの音域に含まれる最高音と最低音の中から最も高い音高と最も低い音高を抽出する。そして、音域特定部１００は、抽出した音高に基づいて、第１の音域を特定する。たとえば、図２に示した歌唱者Ｓ１〜歌唱者Ｓ４それぞれの音高において、最高音は歌唱者Ｓ２の「Ａ４」であり、最低音は歌唱者Ｓ１の「Ｃ＃３」である。この場合、音域特定部１００は、「Ａ４」〜「Ｃ＃３」の音高の範囲を第１の音域として特定する。音域特定部１００は、特定した第１の音域をキー決定部２００に出力する。
【００３３】
［キー決定部］
キー決定部２００は、第１の音域と、選曲された楽曲について予め設定されているキーに基づく歌唱旋律における第２の音域との比較結果に基づいて、選曲された楽曲のキーを決定する。
【００３４】
以下の例では、歌唱者Ｓ１〜歌唱者Ｓ４がある楽曲を歌唱する例について述べる。また、第１の音域Ｅ１は、上記例の通り、最高音「Ａ４」〜最低音「Ｃ＃３」で規定される音域であるとする。
【００３５】
（ケース１：キー変更しない）
図４は各歌唱者の音域と、楽曲Ａについて予め設定されているキーに基づく歌唱旋律における音域（第２の音域）との関係を示した図である。楽曲Ａは、最高音「Ｇ４」〜最低音「Ｄ３」の音域Ｅ２となるようにキーが設定されているとする。
【００３６】
キー決定部２００は、第１の音域Ｅ１と第２の音域Ｅ２を比較する。
【００３７】
この例においては、楽曲Ａの音域Ｅ２が第１の音域Ｅ１に含まれている（すなわち、第１の音域より第２の音域が狭い）。この場合、楽曲Ａに含まれる全ての音について、歌唱者Ｓ１〜歌唱者Ｓ４の少なくとも一人が発声できることとなる。
【００３８】
そこで、キー決定部２００は、楽曲Ａに予め設定されているキーを楽曲Ａのキーとして決定する（楽曲Ａに予め設定されているキーをそのまま用いる）。この場合、第２の音域Ｅ２は、最高音「Ｇ４」〜最低音「Ｄ３」のままである。
【００３９】
（ケース２：共通する音域と第２の音域との重複範囲が最大となるようキー変更）
図５Ａ及び図５Ｂは各歌唱者の音域と楽曲Ｂの音域（第２の音域）との関係を示した図である。楽曲Ｂは、最高音「Ａ＃３」〜最低音「Ｃ＃３」の音域Ｅ３となるようにキーが予め設定されているとする。
【００４０】
キー決定部２００は、第１の音域Ｅ１と第２の音域Ｅ３を比較する。
【００４１】
この例において、楽曲Ｂの音域Ｅ３は第１の音域Ｅ１に含まれている（すなわち、第１の音域より第２の音域が狭い）。一方、音域Ｅ１と音域Ｅ３との重複範囲について、音域Ｅ３は、歌唱者Ｓ１の音域との重複範囲が広い一方、歌唱者Ｓ２との重複範囲が狭くなっている（図５Ａ参照）。このような場合にキー変更を行わないとすると、歌唱者Ｓ１の歌唱機会と比べ、歌唱者Ｓ２の歌唱機会が少なくなる可能性がある（歌唱機会の詳細については後述）。従って、歌唱機会が略均等となるようにキー変更を行うことが好ましい。
【００４２】
まず、キー決定部２００は、第１の音域のうち歌唱者Ｓ１〜歌唱者Ｓ４に共通する音域を特定する。この例では、最高音「Ｄ４」〜最低音「Ａ３」の音域Ｅ４が特定される。キー決定部２００は、音域Ｅ３と音域Ｅ４の重複範囲が最大となるようにキー変更を行う。たとえば図５Ｂに示すように、キー決定部２００は、楽曲Ｂの音域Ｅ３について、最高音「Ｄ＃４」〜最低音「Ｆ＃３」の音域Ｅ５となるようにキーの変更を行うことで楽曲Ｂのキーを決定する。
【００４３】
（ケース３：共通する音域に頻度の高い音高が含まれるようキー変更）
図６Ａ及び図６Ｂは各歌唱者の音域と楽曲Ｃの音域（第２の音域）との関係を示した図である。楽曲Ｃは、最高音「Ｂ３」〜最低音「Ｃ＃３」の音域Ｅ６となるようにキーが予め設定されているとする。
【００４４】
キー決定部２００は、第１の音域Ｅ１と第２の音域Ｅ６を比較する。
【００４５】
この例において、楽曲Ｃの音域Ｅ６は第１の音域Ｅ１に含まれている（すなわち、第１の音域より第２の音域が狭い。図６Ａ参照）。一方、音域Ｅ６に含まれる各音高に相当する音の中には、楽曲Ｃ中で複数回、発声されるべき音高の音がある一方、１回も発声されない音高の音もありうる。
【００４６】
図８は、楽曲Ｃにおける歌唱旋律の最高音から最低音までを半音階に区分して各音高の発音回数を所定区間毎（Ａメロ、Ｂメロ、サビ）にカウントしたものを示す。図８から明らかなように、楽曲Ｃでは、音高「Ｆ＃６」が最も出現頻度が高い。従って、出現頻度が高い音が歌唱者に共通する音域に含まれるよう、キー変更を行うことが好ましい。
【００４７】
このような場合、キー決定部２００は、第１の音域のうち歌唱者Ｓ１〜歌唱者Ｓ４に共通する音域を特定する。この例では、最高音「Ｄ４」〜最低音「Ａ３」の音域Ｅ４が特定される。キー決定部２００は、音域Ｅ４に、音高「Ｆ＃３」が含まれるようにキー変更を行う。たとえば図６Ｂに示すように、キー決定部２００は、楽曲Ｃの音域Ｅ６について、音高「Ｆ＃３」が「Ｃ４」となるようにキーの変更を行うことで楽曲Ｃのキーを決定する。この場合、楽曲Ｃの音域Ｅ７は、最高音「Ｆ４」〜最低音「Ｇ３」となる。
【００４８】
なお、頻度の高い音高が複数ある場合、それら全てが含まれるようにキーを変更することでもよい。たとえば、図８の例において、最も出現頻度の高い音高「Ｆ＃３」だけでなく、出現頻度の高い音高「Ｅ３」、「Ｇ＃３」も含まれるようにキーを変更することでもよい。
【００４９】
（ケース４：第２の音域が第１の音域に含まれていない場合）
図７は各歌唱者の音域と楽曲Ｄの音域（第２の音域）との関係を示した図である。楽曲Ｄは、最高音「Ａ＃４」〜最低音「Ｃ３」の音域Ｅ８となるようにキーが予め設定されているとする。
【００５０】
キー決定部２００は、第１の音域Ｅ１と第２の音域Ｅ８を比較する。
【００５１】
この例において、楽曲Ｄの音域Ｅ８は第１の音域Ｅ１に含まれていない（すなわち、第１の音域より第２の音域が広い）。この場合、楽曲Ｄに含まれる一部の音については、歌唱者Ｓ１〜歌唱者Ｓ４のいずれも発声できない。また、第１の音域よりも第２の音域が広い場合、キーを変更しても楽曲Ｄの音域全てが第１の音域に含まれるようにすることはできない。
【００５２】
そこで、キー決定部２００は、ケース２またはケース３と同様の方法により、キーを決定する。このようにキーを決定することにより、歌唱者Ｓ１〜Ｓ４の音域が楽曲の音域に極力含まれるよう、キーを設定することが可能となる。
【００５３】
［歌唱者特定部］
歌唱者特定部３００は、選曲された楽曲の歌唱旋律における一音毎の音高と、複数の歌唱者それぞれの音域とを比較することにより、一音毎にカラオケ歌唱に適した歌唱者を特定する。このように一音毎にカラオケ歌唱に適した歌唱者を特定することにより、各歌唱者にカラオケ歌唱の機会（歌唱機会）を与えることができる。
【００５４】
以下の説明において、選曲された楽曲の歌唱旋律に含まれる音高を音高Ｐｎ（ｎは自然数）で示す。たとえば、音高Ｐ１は、選曲された楽曲の歌唱旋律に含まれる最初の音の音高である。
【００５５】
上記例と同様、歌唱者Ｓ１〜歌唱者Ｓ４がカラオケ装置１にログインしているとする。そして、いずれかの歌唱者が楽曲Ｘを選曲したとする。また、歌唱者Ｓ１〜歌唱者Ｓ４の音域は予め記憶部１３から読み出されているとする。
【００５６】
まず、歌唱者特定部３００は、選曲された楽曲Ｘの楽曲データにおける歌唱旋律から音高Ｐ１を得る。そして、歌唱者特定部３００は、音高Ｐ１と、歌唱者Ｓ１〜歌唱者Ｓ４それぞれの音域とを比較する。
【００５７】
ここで、音高Ｐ１が「Ｄ３」であったとする。この場合、歌唱者特定部３００は、音高Ｐ１を音域に含む歌唱者Ｓ１を「カラオケ歌唱に適した歌唱者」として特定する。
【００５８】
歌唱者特定部３００は、楽曲Ｘの歌唱旋律に含まれる音高Ｐｎについて順次、歌唱者の音域との比較を行い、一音毎に歌唱者を特定する。
【００５９】
なお、カラオケ歌唱に適した歌唱者の特定は、様々な手法が可能である。たとえば、音高毎に歌唱者を特定した場合、一音毎に歌唱者が変わる可能性もありうる。このような場合、カラオケ歌唱がやり難いと感じる可能性もある。そこで、一音毎の歌唱者が極力、連続で特定されるように調整してもよい。
【００６０】
ここで、音高Ｐ１が「Ａ３」、音高Ｐ２が「Ｂ３」、音高Ｐ３が「Ｃ４」、音高Ｐ４が「Ａ＃３」の楽曲があるとする。この楽曲について歌唱者Ｓ１〜歌唱者Ｓ４でカラオケ歌唱を行うとすると、音高Ｐ１〜音高Ｐ４に相当する音はいずれも歌唱者Ｓ１〜歌唱者Ｓ４に共通する音域（たとえば、図４参照）に含まれている。このような場合、歌唱者特定部３００は、音高Ｐ１〜音高Ｐ４に相当する連続する４つの音については、たとえば歌唱者Ｓ１を「カラオケ歌唱に適した歌唱者」として特定する。
【００６１】
逆に、上記例のような方法でカラオケ歌唱に適した歌唱者を特定する場合、ある特定の歌唱者のみに歌唱機会が偏ってしまう可能性もありうる。
【００６２】
たとえば、他の歌唱者よりも広い音域を有する歌唱者は「カラオケ歌唱に適した歌唱者」として特定される可能性が高くなる。そこで、歌唱者特定部３００は、複数の歌唱者の歌唱機会が略均等となるように、カラオケ歌唱に適した歌唱者を特定することも可能である。
【００６３】
具体的には、歌唱者特定部３００は、選曲された楽曲の歌唱旋律に含まれる音全てについて、カラオケ歌唱に適した歌唱者を特定した後、歌唱者毎の歌唱機会（歌唱する音の数）をカウントする。
【００６４】
歌唱者間における歌唱機会が不均等な場合、歌唱者特定部３００は、略均等となるよう、歌唱する音の数を調整する。
【００６５】
ここで、ある楽曲における音高Ｐ５が「Ａ３」、音高Ｐ６が「Ｂ３」でありいずれも歌唱者Ｓ１が歌唱すると特定されたとする。また、ある楽曲に含まれる音全てについて歌唱者を特定した結果、歌唱者Ｓ１の歌唱する音の総数が歌唱者Ｓ２の歌唱する音の総数より２つ多いとする。
【００６６】
この場合、歌唱者特定部３００は、音高Ｐ５または音高Ｐ６に相当する音のいずれかを歌唱者Ｓ２が歌唱できるよう、歌唱者Ｓ２を「カラオケ歌唱に適した歌唱者」として変更する。
【００６７】
［提示部］
提示部４００は、特定されたカラオケ歌唱に適した歌唱者を示す情報を提示する。
【００６８】
情報の提示は様々な方法が可能である。たとえばある楽曲のカラオケ演奏を行う前に、リモコン装置５０の予約確認画面上で、最初のＡメロに含まれる音毎の歌唱者名を表示させることが可能である。歌唱者は当該画面を確認することにより、自己が歌唱する音を把握することができる。或いは、カラオケ演奏中に次の音の歌唱者名を表示装置３０の表示画面に表示させることでもよい。
【００６９】
また、提示部４００は、スピーカ２０を介し、カラオケ歌唱に適した歌唱者を示す情報を音声として歌唱者に提示することも可能である。このように当該情報をスピーカ２０から放音させることも「特定されたカラオケ歌唱に適した歌唱者を示す情報を提示する」ことの一例である。
【００７０】
＝＝カラオケ装置１の動作について＝＝
次に、図９を参照して本実施形態におけるカラオケ装置１の動作の具体例について述べる。図９は、カラオケ装置１の動作例を示すフローチャートである。本実施形態においては、複数の歌唱者が一の楽曲を代わる代わるカラオケ歌唱を行う。
【００７１】
歌唱者Ｓ１〜歌唱者Ｓ４は、リモコン装置５０を介してカラオケ装置１にログインする（ログイン。ステップ１０）。
【００７２】
いずれかの歌唱者は、リモコン装置５０を介して楽曲Ｙを選曲する（楽曲の選曲。ステップ１１）。また、いずれかの歌唱者は、リモコン装置１を介して、ログインした歌唱者同士で楽曲Ｙを代わる代わるカラオケ歌唱を行うモードを選択する（モード選択。ステップ１２）。
【００７３】
音域特定部１００は、ステップ１０でログインした歌唱者の音域を記憶部１３から読み出し、それぞれの音高における最高音及び最低音で規定される第１の音域を特定する（第１の音域の特定。ステップ１３）。
【００７４】
キー決定部２００は、ステップ１３で特定された第１の音域と、選曲された楽曲Ｙについて予め設定されているキーに基づく歌唱旋律における第２の音域とを比較する（音域の比較。ステップ１４）。
【００７５】
ステップ１４での比較結果により、キー変更を必要とする場合（ステップ１５でＹの場合）、キー決定部２００は、たとえば、第１の音域のうち歌唱者Ｓ１〜歌唱者Ｓ４に共通する音域と、第２の音域との重複範囲が最大となるようにキーを変更する（キーの変更。ステップ１６）。
【００７６】
一方、ステップ１４での比較結果により、キー変更を必要としない場合（ステップ１５でＮの場合）、キー決定部２００はキー変更を行わない。
【００７７】
キー決定部２００は、予め設定されているキー、またはステップ１６で変更されたキーを、楽曲Ｙのキーとして決定する（キーの決定。ステップ１７）。
【００７８】
歌唱者特定部３００は、楽曲Ｙの歌唱旋律における一音毎の音高と、ステップ１３で読み出した複数の歌唱者それぞれの音域とを比較する（一音毎に音域の比較。ステップ１８）。
【００７９】
そして、歌唱者特定部３００は、一音毎に一の歌唱者をカラオケ歌唱に適した歌唱者として特定する（一音毎に歌唱者を特定。ステップ１９）。
【００８０】
楽曲Ｙの歌唱旋律に含まれる全ての音に対してカラオケ歌唱に適した歌唱者が特定された場合（ステップ２０でＹの場合）、提示部４００は、特定されたカラオケ歌唱に適した歌唱者を示す情報を提示する（特定された歌唱者の提示。ステップ２１）。
【００８１】
このように、本実施形態に係るカラオケ装置１によれば、複数の歌唱者の音高における最高音及び最低音で規定される第１の音域と、選曲された楽曲について予め設定されているキーに基づく歌唱旋律における第２の音域との比較結果に基づいて、選曲された楽曲のキーを決定することができる。そして、選曲された楽曲における歌唱旋律の一音毎の音高と、複数の歌唱者それぞれの音域とを比較することにより、一音毎にカラオケ歌唱に適した歌唱者を特定することができる。つまり、複数の歌唱者の音域を考慮してキーを決定した後、一音毎に歌唱者を決定するため、歌えない音の歌唱が割り当てられるといった問題が生じ難い。すなわち、本実施形態に係るカラオケ装置１によれば、一の楽曲に対して複数の歌唱者でカラオケ歌唱を行う場合に、歌唱者それぞれがカラオケ歌唱を楽しむことができる。
【００８２】
また、キー決定部２００は、第１の音域のうち複数の歌唱者に共通する音域と、第２の音域との重複範囲が最大となるようにキーを変更することにより、楽曲のキーを決定する。この場合、全ての歌唱者に共通する音域が、変更されたキーによって決定される楽曲の音域に含まれる可能性が高くなる。すなわち、本実施形態に係るカラオケ装置１によれば、各歌唱者が歌唱できる音を増やすことができる。
【００８３】
或いは、キー決定部２００は、第１の音域のうち複数の歌唱者に共通する音域に、選曲された楽曲の歌唱旋律において頻度の高い音高が含まれるようにキーを変更することにより、楽曲のキーを決定する。この場合、ある楽曲に含まれている頻度が高い音の音高が全ての歌唱者に共通する音域に含まれることとなる。すなわち、本実施形態に係るカラオケ装置１によれば、楽曲において出現頻度が高い音について、各歌唱者が歌唱できる機会を増やすことができる。
【００８４】
また、本実施形態に係るカラオケ装置１によれば、特定された歌唱者を示す情報を提示することにより、歌唱者は自己が歌唱する音を容易に把握することができる。
【００８５】
＜その他＞
上記例では、歌唱者が任意の楽曲を選曲する例について述べたが、各歌唱者の音域に基づいて、特定の楽曲を推奨することも可能である。たとえば、カラオケ装置１は、歌唱者Ｓ１の歌唱履歴の中から、歌唱者Ｓ２〜歌唱者Ｓ４の音域よりも狭い音域のみを含む楽曲を抽出し、その楽曲を予約推奨楽曲として提示することも可能である。また、歌唱者Ｓ１の歌唱履歴と他の歌唱者の歌唱履歴とで共通する楽曲が存在する場合、当該共通する楽曲を予約推奨楽曲として提示することも可能である。
【００８６】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８７】
１  カラオケ装置
１０  カラオケ本体
１１  制御部
１３  記憶部
１００  音域特定部
２００  キー決定部
３００  歌唱者特定部
【図１】
2018128492.tif 000003
【図２】
2018128492.tif 000004
【図３】
2018128492.tif 000005
【図４】
2018128492.tif 000006
【図５Ａ】
2018128492.tif 000007
【図５Ｂ】
2018128492.tif 000008
【図６Ａ】
2018128492.tif 000009
【図６Ｂ】
2018128492.tif 000010
【図７】
2018128492.tif 000011
【図８】
2018128492.tif 000012
【図９】
2018128492.tif 000013